(57)【要約】【課題】プロパティ設定変更操作を容易かつ効率的に行うことができるようにすること。【解決手段】本プロパティ設定方法は、ＰＬＣにより制御される外部機器を操作するために表示器画面上に配置されるＨＭＩ部品のプロパティをパーソナルコンピュータ画面におけるプロパティ設定ダイアログで設定するに際してそのプロパティ設定ダイアログ内に配置したプレビューウインドウにＨＭＩ部品のプロパティの設定変更を即座に表示し操作者が即座に確認可能とする。【選択図】図３
2006301725.tif 000002
【特許請求の範囲】
【請求項１】
パーソナルコンピュータ画面に開いたプロパティ設定ダイアログにより部品のプロパティを設定するプロパティ設定方法であって、前記プロパティ設定ダイアログ内に配置したプレビューウインドウに部品のプロパティの設定変更を即時的に表示してその設定変更を即座に確認可能とした、ことを特徴とするプロパティ設定方法。
【請求項２】
パーソナルコンピュータと、このパーソナルコンピュータにより画面上にＨＭＩ部品を配置表示し該ＨＭＩ部品の表示状況から外部機器の状況あるいはＨＭＩ部品により外部機器を操作することができる表示器と、ＨＭＩ部品に対応する外部機器を制御するプログラマブルコントローラとを備える制御システムにおいて、表示器画面上に配置しているＨＭＩ部品のプロパティの設定方法であって、前記ＨＭＩ部品のプロパティを、前記パーソナルコンピュータ画面上に呼び出したプロパティ設定ダイアログで設定するに際して前記プロパティ設定ダイアログ内に配置したプレビューウインドウにＨＭＩ部品のプロパティの設定変更を即時的に表示して、その設定変更を即座に確認可能とした、ことを特徴とするプロパティ設定方法。
【請求項３】
画面上にＨＭＩ部品を配置表示し該ＨＭＩ部品の表示状況から外部機器の状況あるいはＨＭＩ部品により外部機器を操作することができる表示器に対してパーソナルコンピュータの画面上に呼び出したプロパティ設定ダイアログで設定するに際して、前記プロパティ設定ダイアログ内に配置したプレビューウインドウにＨＭＩ部品のプロパティの設定変更を即時的に表示して、その設定変更を即座に確認可能とした、ことを特徴とするプロパティ設定方法。
【請求項４】
請求項１ないし３いずれかに記載のプロパティ設定方法を実施するために用いるパーソナルコンピュータであって、プロパティ設定ダイアログ内に部品のプロパティの設定変更を即時的に表示するプレビューウインドウの表示機能を備えた、ことを特徴とするパーソナルコンピュータ。
【請求項５】
パーソナルコンピュータと、このパーソナルコンピュータにより画面上にＨＭＩ部品を配置表示し該ＨＭＩ部品の表示状況から外部機器の状況を表示したりＨＭＩ部品を操作して外部機器を操作したりすることができる表示器と、ＨＭＩ部品に対応する外部機器を制御するプログラマブルコントローラとを備える制御システムにおいて、表示器画面上に配置しているＨＭＩ部品のプロパティをパーソナルコンピュータ画面上に呼び出したプロパティ設定ダイアログで設定するに際して前記プロパティ設定ダイアログ内に配置したプレビューウインドウにＨＭＩ部品のプロパティの設定変更を即時的に表示しその変更を即座に確認可能とした、ことを特徴とする制御システム。
【発明の詳細な説明】
【技術分野】
【０００１】
本発明は、ＰＬＣにより制御される外部機器を操作するために表示器画面上に配置されるＨＭＩ部品のプロパティをパーソナルコンピュータ画面におけるプロパティ設定ダイアログで設定するプロパティ設定方法、この設定方法の実施に用いるパーソナルコンピュータおよび該パーソナルコンピュータと表示器とプログラマブルコントローラ（ＰＬＣ）とを含む制御システムに関するものである。
【背景技術】
【０００２】
工場設備等の外部機器の制御にＰＬＣが用いられている。また、表示器は、ＰＬＣにより制御される外部機器の状況を表示するとともに外部機器を操作する（特許文献１参照）。そのため、外部ＰＣ（パーソナルコンピュータ）により、ＰＬＣにはシーケンスプログラム、表示器には表示プログラムがインストールされる。
【０００３】
表示器には前記外部機器を操作するための操作部品が表示される。操作者は表示器に表示されている操作部品を操作して外部機器を操作する。そのため、本明細書では表示器に表示されている部品を外部機器と操作者とのインタフェースを形成するＨＭＩ（Ｈｕｍａｎ  Ｍａｃｈｉｎｅ  Ｉｎｔｅｒｆａｃｅ）部品と定義する。
【０００４】
このＨＭＩ部品には、表示色、フォント、キャプション等のプロパティ（属性情報）が設定される。
【０００５】
従来、このＨＭＩ部品に対するプロパティ設定は、外部ＰＣの画面上にプロパティ設定ダイアログを呼び出し、この呼び出したプロパティ設定ダイアログに対するマウス操作やキーボード操作により行われている。
【０００６】
このようにプロパティの設定においてはその設定のシミュレーションを実行する場合、従来では、プロパティ設定後でなければ、即時的、同時的に確認することができなかったため、操作者にとっては、確認後に、再度、プロパティ変更をし直す必要があるような場合、再度、プロパティ設定ダイアログを呼び出し、ＨＭＩ部品に対するプロパティ設定変更の操作を行う必要があり、プロパティ設定変更操作に手間がかかり、煩わしいものであった。
【特許文献１】特開２００４−２５２９２０号公報
【発明の開示】
【発明が解決しようとする課題】
【０００７】
本発明は、プロパティ設定ダイアログ内でのＨＭＩ部品に対するプロパティ設定変更を即座に当該プロパティ設定ダイアログ内で確認可能となして、プロパティ設定変更操作を容易かつ効率的にすることにある。
【課題を解決するための手段】
【０００８】
本発明によるプロパティ設定方法は、プロパティ設定ダイアログ内に配置したプレビューウインドウにＨＭＩ部品のプロパティの設定変更を即時的に表示し、その設定変更を即座に確認可能としたことを特徴とするものである。
【０００９】
本発明によると、操作者は、マウスやキーボード操作でＨＭＩ部品のプロパティ設定の変更を行う場合、プレビューウインドウにその変更に対応したプロパティ設定状況が即時的に表示されるから、プレビューウインドウでプロパティ設定状況を即座に確認してプロパティ設定変更が可能となり、プロパティ設定変更をし直すという労力負担が軽減される結果、１台の表示器に対してのプロパティ設定変更操作は勿論のこと、多数の表示器にその操作を実施する場合にはその負担労力の軽減効果、およびプロパティ設定に要する実行時間の短縮効果は極めて多大であり、その有用性ははかりしれないものである。
【発明の効果】
【００１０】
本発明によると、ＨＭＩ部品に対するプロパティ設定変更をプレビューウインドウに即座に表示し操作者が即座に確認することができるから該変更を極めて簡単かつ効率的に行うことが可能である。
【発明を実施するための最良の形態】
【００１１】
以下、添付図面を参照して本発明の実施の形態に係るプロパティ設定方法を詳細に説明する。
【００１２】
図１を参照して、同図には、外部ＰＣ（パーソナルコンピュータ）１０と、表示器２０と、ＰＬＣ（プログラマブルコントローラ）３０と、外部機器４０とが示されている。これらにより工場に設備された複数の外部機器４０を制御する制御システムが構築される。外部ＰＣ１０としてはデスクトップ１０ａ、キーボード１０ｂおよびマウス１０ｃを装備した通常の制御システム用ＰＣを用いることができる。
【００１３】
表示器２０には表示プログラムがインストールされている。このインストールは外部ＰＣ１０から行うことができる。表示器２０は、その表示プログラムに従い、表示動作を行うようになっている。表示器２０は、外部機器４０を制御するＰＬＣ３０に接続される。表示器２０は、その表示画面２０ａ上に、外部機器４０の操作状況を表示する部品２０ｂ１や、その外部機器４０を操作する部品２０ｂ２等が表示されている。各部品２０ｂ１，２０ｂ２は様々な形状、カラー、文字、フォント、等の各種プロパティが設定されている。この部品２０ｂ１，２０ｂ２は、外部機器４０と操作者とのインタフェースを形成するＨＭＩ（Ｈｕｍａｎ  Ｍａｃｈｉｎｅ  Ｉｎｔｅｒｆａｃｅ）部品である。このＨＭＩ部品２０ｂ１，２０ｂ２（以下、ＨＭＩ部品２０ｂと総称する）は外部機器４０に対応している。
【００１４】
ＰＬＣ３０にはシーケンスプログラムがインストールされている。このシーケンスプログラムは外部ＰＣ１０によりインストールすることができる。ＰＬＣ３０はそのシーケンスプログラムに従い、外部機器４０に対して所要の制御動作を行うようになっている。外部機器４０にはセンサ、リレー、その他の機器がある。外部機器４０からＰＬＣ３０には外部機器４０の状況を示すデータが入力される。ＰＬＣ３０はそのデータを表示器２０に、また、表示器２０を介して、外部ＰＣ１０に送信することができる。
【００１５】
以上において、表示器２０のＨＭＩ部品２０ｂに対するプロパティ設定は、外部ＰＣ１０のデスクトップ１０ａの画面１０ｄ上に呼び出したプロパティ設定ダイアログに対してキーボード１０ｂやマウス１０ｃの操作を通じて行われる。
【００１６】
以上説明した外部ＰＣ１０、表示器２０、およびＰＬＣ３０の内部の詳細構成は、本実施の形態の特徴構成を除き、公知の構成を採用することができるから、その詳細な説明を省略する。
【００１７】
外部ＰＣ１０は、公知の構成として、表示器２０の表示画面の設計を行うことができる。表示画面の設計にはＨＭＩ部品２０ｂの配置、プロパティの設定、プロパティの変更等が含まれる。外部ＰＣ１０は、表示設計に際しては、内蔵のプログラムや記録媒体からインストールされたプログラムにより行うことができる。
【００１８】
図２以降を参照して本実施の形態の特徴を説明する。本実施の形態は、ＨＭＩ部品２０ｂに対してそのプロパティを設定したりあるいは変更したりするに際して、外部ＰＣ１０のコンピュータ画面上に開いたプロパティ設定ダイアログにプレビューウインドウを設け、このプレビューウインドウにより上記プロパティの設定変更を即座に表示し、操作者がその変更を即座に確認可能となしたことを特徴とするものである。
【００１９】
図２は、外部ＰＣ１０のコンピュータ画面１０ｄを示す。このコンピュータ画面１０ｄには表示器２０に表示されるＨＭＩ部品２０ｂを配置した配置画面１０ｅが示されている。この配置画面１０ｅは表示器２０の画面２０ａに対応する。配置画面１０ｅには各種のＨＭＩ部品２０ｂが表示されている。これら各種ＨＭＩ部品２０ｂの個々の説明は省略する。
【００２０】
図３は、コンピュータ画面１０ｄ上にプロパティ設定ダイアログＡを呼び出した状態を示す。プロパティ設定ダイアログＡにはプレビューウインドウＢが配置されている。プロパティ設定ダイアログＡにプレビューウインドウＢを配置することはソフトウエア技術により容易に可能であり、その配置の技術の詳細は省略する。
【００２１】
以下において、プロパティ設定ダイアログＡでＨＭＩ部品２０ｂに対するプロパティ設定を行う場合に、プレビューウインドウＢの配置上の作用効果を説明する。
【００２２】
図４は、プロパティ設定ダイアログＡにおいて、文字プロパティを設定する状態を示す。実線楕円で囲む領域Ｃ内にプロパティ設定対象である文字プロパティが「ＳＴＡＲＴ」と設定表示されている。プレビューウインドウＢには、文字プロパティの設定と同時的にあるいは即時的に文字プロパティ「ＳＴＡＲＴ」が表示されている。操作者は、プレビューウインドウＢのプレビュー表示から文字プロパティの設定変更を即座に確認することができるので、プロパティの設定変更を労力少なく高効率で行うことができる。
【００２３】
図５は、プロパティ設定ダイアログＡにおいて、文字「ＳＴＡＲＴ」のアライメントのプロパティを設定する状態を示す。実線円Ｄで囲む９つのアライメント設定のうち左下Ｅをクリックすることにより「ＳＴＡＲＴ」のアライメントプロパティが左下に設定変更される。この設定変更は、プレビューウインドウＢに「ＳＴＡＲＴ」のアライメントプロパティが左下に即時にプレビュー表示されているので、操作者は、プレビューウインドウＢのプレビュー表示から文字のアライメントプロパティの設定変更を即座に確認することができる。
【００２４】
図６は、「ＳＴＡＲＴ」のカラープロパティの設定を示すもので、プロパティ設定ダイアログＡにおいて、実線円Ｆで囲む多数のカラープロパティのうち、実線円Ｇで囲む例えば赤プロパティをクリックして文字「ＳＴＲＡＲＴ」のカラープロパティが設定変更される。この設定変更は、プレビューウインドウＢにその赤プロパティが即時に表示されているので、操作者は、プレビューウインドウＢのプレビュー表示から文字カラープロパティの設定変更を即座に確認することができる。
【００２５】
図７は、「ＳＴＡＲＴ」のフォントプロパティの設定を示すもので、プロパティ設定ダイアログＡにおいて、実線円Ｈで囲む複数のフォントプロパティのうち１８ポイントをクリックすることにより「ＳＴＡＲＴ」のフォントプロパティの設定変更が行われる。一方、プレビューウインドウＢにはそのフォントプロパティが即時的に表示されているので、操作者は、プレビューウインドウＢのプレビュー表示から文字フォントプロパティの設定変更を即座に確認することができる。
【００２６】
図８は、プロパティ設定ダイアログＡにおいて実線円Ｉで囲むＨＭＩ部品２０ｂのランプの形状プロパティを正方形に設定し、それに対応してプレビューウインドウＢにランプの形状プロパティの設定変更が正方形であることが即時的に表示されている状態を示す。これにより、操作者は、プレビューウインドウＢのプレビュー表示から文字ランプ形状プロパティの設定変更を即座に確認することができる。
【００２７】
図９は、プロパティ設定ダイアログＡにおいて実線円Ｊで囲むＨＭＩ部品２０ｂのランプの形状プロパティを円形に設定し、それに対応してプレビューウインドウＢにランプの形状プロパティの設定変更が円形であることが即時的に表示されている状態を示す。これにより、操作者は、プレビューウインドウＢのプレビュー表示から文字ランプ形状プロパティの設定変更を即座に確認することができる。
【００２８】
以上により、本実施の形態では、操作者は、マウスやキーボード操作でＨＭＩ部品のプロパティ設定の変更をプロパティ設定ダイアログ上で行う場合、そのプロパティ設定ダイアログ内のプレビューウインドウにその変更に対応したプロパティ設定変更が即座に表示されるから、操作者はその設定変更を即座に確認することができ、プレビューウインドウでプロパティ設定状況を確認しつつプロパティ設定変更が可能となり、プロパティ設定変更をし直すという労力上の負担が大きく軽減されることとなる。
【００２９】
本発明は、上述した実施の形態に限定されるものではなく、特許請求の範囲に記載した範囲内で、種々な変更ないしは変形を含むものである。
【図面の簡単な説明】
【００３０】
【図１】外部ＰＣ、表示器、ＰＬＣおよび外部機器を含む制御システムを示す図である。
【図２】外部ＰＣのコンピュータ画面において表示器に表示するＨＭＩ部品の配置状態を示す図である。
【図３】外部ＰＣのコンピュータ画面にプロパティ設定ダイアログを呼び出した状態を示す図である。
【図４】プロパティ設定ダイアログにおいて文字プロパティの設定画面である。
【図５】プロパティ設定ダイアログにおいて文字アライメントプロパティの設定画面である。
【図６】プロパティ設定ダイアログにおいて文字アライメントプロパティの設定画面である。
【図７】プロパティ設定ダイアログにおいて文字フォントプロパティの設定画面である。
【図８】プロパティ設定ダイアログにおいてランプ形状プロパティの設定画面である。
【図９】プロパティ設定ダイアログにおいて他のランプ形状プロパティの設定画面である。
【符号の説明】
【００３１】
１０  外部ＰＣ
２０  表示器
２０ｂ１，２０ｂ２  ＨＭＩ部品
３０  ＰＬＣ
４０  外部機器
Ａ  プロパティ設定ダイアログ
Ｂ  プレビューウインドウ
【図１】
2006301725.tif 000003
【図２】
2006301725.tif 000004
【図３】
2006301725.tif 000005
【図４】
2006301725.tif 000006
【図５】
2006301725.tif 000007
【図６】
2006301725.tif 000008
【図７】
2006301725.tif 000009
【図８】
2006301725.tif 000010
【図９】
2006301725.tif 000011